(57)【要約】【課題】レバーを引いて警報動作を開始させた後に、そのままレバーを戻すことを不可能とし、また、レバーを戻す方法も第三者に察知されにくい警報装置を提供する。【解決手段】本体部１０とこの本体部１０に対して挿引可能なレバー３０とを有し、本体部１０からレバー３０が引かれた場合に警報動作を行う警報装置である。そして、レバー３０が本体部１０から引かれた場合にレバーが元の位置に戻されるのを妨げるロック機構２３，２４と、本体部１０およびレバー３０とは別体に構成されロック機構２３，２４のロックを解除する解除部品４０とを備えている。【選択図】図８
2009145938.tif 000002
【特許請求の範囲】
【請求項１】
本体部とこの本体部に対して挿引可能なレバーとを有し、前記本体部から前記レバーが引かれた場合に警報動作を行う警報装置において、
前記レバーが前記本体部から引かれた場合に当該レバーが元の位置に戻されるのを防止するロック機構と、
前記本体部および前記レバーとは別体に構成され前記ロック機構の作用を解除する解除部品と、
を備えたことを特徴とする警報装置。
【請求項２】
前記ロック機構は、
前記レバーが引かれた場合に当該レバーが挿入されていた挿入溝内に張り出す係止部材を有し、
前記解除部品は、
前記本体部に接続することで前記挿入溝内に張り出している前記係止部材を引き戻す構成であることを特徴とする請求項１記載の警報装置。
【請求項３】
前記本体部には、
前記レバーを挿引可能な挿入溝と、
前記解除部品を接続する接続溝と、が設けられ、
前記ロック機構は、
前記挿入溝の内面に配置され前記挿入溝側に張り出したり引き戻されたり変位可能にされた係止部材と、
前記係止部材を前記挿入溝側に付勢する付勢手段と、
前記係止部材の一部又は全部を構成する磁性体と、から構成され、
前記解除部品は、
前記係止部材に近接したときに前記磁性体を引き付ける磁石を有し、
前記レバーを前記挿入溝から引いたときに、前記付勢手段により前記係止部材が前記挿入溝側に張り出して、前記レバーが元の位置に戻されるのが防止され、
前記解除部品を前記接続溝に接続した場合に、当該解除部品の前記磁石に前記係止部材が引き付けられて、当該係止部材の前記挿入溝側に張り出した部分が引き戻されるように構成されていることを特徴とする請求項１記載の警報装置。
【請求項４】
前記ロック機構の前記係止部材は複数設けられ、
前記複数の係止部材に各々対応して前記解除部品の前記磁石が複数設けられていることを特徴とする請求項３記載の警報装置。
【請求項５】
前記本体部は、前記レバーが引かれることで所定の電極間が電気的に接続され、これにより電池から回路に通電がなされて警報動作が行われる構成であることを特徴とする請求項１〜４の何れか１項に記載の警報装置。
【発明の詳細な説明】
【技術分野】
【０００１】
この発明は、レバーが引かれることで警報動作を行う警報装置に関する。
【背景技術】
【０００２】
以前より、警報装置として、レバーを引き抜くことで大音量のブザー音を出力する防犯ブザーがある。防犯ブザーは、一般に、電池の消耗を少なくするため、レバーが挿入されている通常時には電池から回路に通電がなされないよう構成される。
【０００３】
また、本願発明に関連する従来技術として、特許文献１には、吊を引くことで内部回路に通電してブザー出力を行う防犯ブザーにおいて、暗証キーの番号を合わせることで吊の位置を元に戻してブザー音の出力を停止可能とする技術について開示されている。
【特許文献１】特開平７−３０６９８６号公報
【発明の開示】
【発明が解決しようとする課題】
【０００４】
レバーを引き抜くことでブザー音の出力を行う通常の防犯ブザーでは、再びレバーを差し込むことでブザー音の出力が停止されるため、例えば、ブザー音が出力された後、使用者以外の者にすぐにレバーを戻されることで、警報が周囲に伝わらずに防犯効果が半減するという課題があった。
【０００５】
また、特許文献１の技術では、ブザー音の出力を停止させる構成が本体部に設けられているため、ブザー音を停止させる方法を使用者以外の者に悟られやすいという課題があった。
【０００６】
この発明の目的は、レバーを引いて警報動作を開始した後、使用者以外の者には簡単にレバーを元に戻すことができず、また、レバーを戻す方法も使用者以外の者に察知されにくい警報装置を提供することにある。
【課題を解決するための手段】
【０００７】
上記目的を達成するため、請求項１記載の発明は、
本体部とこの本体部に対して挿引可能なレバーとを有し、前記本体部から前記レバーが引かれた場合に警報動作を行う警報装置において、
前記レバーが前記本体部から引かれた場合に当該レバーが元の位置に戻されるのを防止するロック機構と、
前記本体部および前記レバーとは別体に構成され前記ロック機構の作用を解除する解除部品と、
を備えたことを特徴としている。
【０００８】
請求項２記載の発明は、請求項１記載の警報装置において、
前記ロック機構は、
前記レバーが引かれた場合に当該レバーが挿入されていた挿入溝内に張り出す係止部材を有し、
前記解除部品は、
前記本体部に接続することで前記挿入溝内に張り出している前記係止部材を引き戻す構成であることを特徴としている。
【０００９】
請求項３記載の発明は、請求項１記載の警報装置において、
前記本体部には、
前記レバーを挿引可能な挿入溝と、
前記解除部品を接続する接続溝と、が設けられ、
前記ロック機構は、
前記挿入溝の内面に配置され前記挿入溝側に張り出したり引き戻されたり変位可能にされた係止部材と、
前記係止部材を前記挿入溝側に付勢する付勢手段と、
前記係止部材の一部又は全部を構成する磁性体と、から構成され、
前記解除部品は、
前記係止部材に近接したときに前記磁性体を引き付ける磁石を有し、
前記レバーを前記挿入溝から引いたときに、前記付勢手段により前記係止部材が前記挿入溝側に張り出して、前記レバーが元の位置に戻されるのが防止され、
前記解除部品を前記接続溝に接続した場合に、当該解除部品の前記磁石に前記係止部材が引き付けられて、当該係止部材の前記挿入溝側に張り出した部分が引き戻されるように構成されていることを特徴としている。
【００１０】
請求項４記載の発明は、請求項３記載の警報装置において、
前記ロック機構の前記係止部材は複数設けられ、
前記複数の係止部材に各々対応して前記解除部品の前記磁石が複数設けられていることを特徴としている。
【００１１】
請求項５記載の発明は、請求項１〜４の何れか１項に記載の警報装置において、
前記本体部は、前記レバーが引かれることで所定の電極間が電気的に接続され、これにより電池から回路に通電がなされて警報動作が行われる構成であることを特徴としている。
【発明の効果】
【００１２】
本発明に従うと、一旦、レバーを引いて警報動作を開始したら、ロック機構が作用してレバーを元に戻せなくなるので、使用者以外の者により警報動作を停止することが困難となり防犯効果を高めることができる。また、レバーを元に戻すための構成が別部品として備わっているので、使用者以外の者により警報動作を停止させる方法も察知されにくく、防犯効果をさらに高めることができる。
【発明を実施するための最良の形態】
【００１３】
以下、本発明の実施の形態を図面に基づいて説明する。
【００１４】
［第１実施形態］
図１は、本発明の第１実施形態である防犯ブザーを示すもので、（ａ）はレバーが挿入された状態の斜視図、（ｂ）はレバーが引き抜かれた状態の斜視図である。図２は、解除部品を示すもので、（ａ）はその斜視図、（ｂ）は平面図、（ｃ）は横断面図である。図３は、本体部に解除部品を装着した状態を示した斜視図である。
【００１５】
この実施形態の防犯ブザー１は、危険を感じたときなどにレバー３０を引き抜くことで警報動作として大音量のブザー音を出力させることが可能なもので、駆動用の電池やブザーユニットなどを内蔵した本体部１０と、警報動作を開始させるときに引き抜くレバー３０と、引き抜いたレバー３０を元に戻す際に使用する解除部品４０等から構成される。
【００１６】
本体部１０には、図１に示すように、その前面側に、種々の表示を行う表示部１１と、解除部品４０を接続する接続溝１４とが設けられている。また、底面側にはレバー３０の鉤部分３０ａを挿抜可能な挿入溝１３が設けられている。
【００１７】
図４には、本体部の裏蓋を外した分離斜視図を、図５には、本体部の内部構造図を示す。図５（ａ）は裏蓋を外した状態の本体部の背面図、（ｂ）はその中央縦段面図、（ｃ）は（ａ）の矢印Ｂ−Ｂ線断面図である。
【００１８】
本体部１０のケーシング１６，１６Ｂの内部には、図４と図５に示すように、駆動源となる電池１９と、ブザー音の出力を行うブザーユニット１８と、各種回路が実装された回路基板１７と、回路基板１７の所定の端子に電気的に接続された第１電極片２０と、電池１９の一方の電極に接続された第２電極片２１とが設けられている。
【００１９】
第１電極片２０と第２電極片２１は、一端側が挿入溝１３に掛かる位置まで張り出して配置され、その先端部分２０ａ，２１ａがレバー３０の先端を導入可能なように開いた状態にされ、且つ、レバー３０の先端が挿入された際に電極片２０，２１の間が押し開かれるように傾斜部２１ｂが形成されている。この実施形態では、第２電極片２１の先端側が板バネ状に変位可能にされている。このような構成により、電極片２０，２１の先端側にレバー３０が挿入されることで２電極片２１が第１電極片２０から離間された状態にされ、一方、レバー３０が引き抜かれることで第２電極片２１が第１電極片２０に一定の圧力で接して両電極間を通電状態にするようになっている。
【００２０】
さらに、図４と図５に示すように、本体部１０の挿入溝１３の経路途中の面には横孔１５が形成され、この横孔１５内に、横孔１５に沿って変位可能にされた係止部材２３と、係止部材２３を挿入溝１３側へ張り出すように付勢するバネ２５とが設けられている。係止部材２３は、バネ２５を介して横孔１５の底面部に固定されており、バネ２５が変位することで係止部材２３が横孔１５に沿って変位するようになっている。また、係止部材２３の中央には磁性体（例えば永久磁石２４）が固着されている。
【００２１】
係止部材２３は、上記の第１電極片２０および第２電極片２１の横幅と同程度の幅長を有し、挿入溝１３の開口部側から眺めて、第１電極片２０および第２電極片２１を隠すように手前側に形成されている。このような配置により、挿入溝１３の開口部から第１電極片２０と第２電極片２１の間に棒などが挿入されて、両電極２０，２１間の通電が遮断されてしまうことを困難にしている。
【００２２】
レバー３０は、図１（ｂ）に示すように、本体部１０の挿入溝１３に対応した長さおよび幅を有した板状の鉤部分３０ａと、挿入溝１３の外側に露出される取手部分３０ｂとから構成される。鉤部分３０ａは絶縁体により構成され、取手部分３０ｂには紐などを結ぶことの可能な貫通孔３０ｃが形成されている。
【００２３】
解除部品４０は、図２に示すように、平面状に広がったフランジ部４１の中央に凸部４２が形成されたもので、この凸部４２の中央には永久磁石４３が設けられている。凸部４２は、本体部１０の接続溝１４に嵌合する形状にされている。また、図２（ｃ）と図５（ｃ）に示すように、永久磁石２４，４３の磁化の向きは、解除部品４０の凸部４２を本体部１０の接続溝１４に嵌合させたときに、互いに引き付けあう向きに設定されている。
【００２４】
図６〜図９には、レバーが挿入された通常状態からレバーを引き抜きさらにレバーを元に戻すまでの遷移状態図を示す。図６〜図９（ａ）はその正面図、図６〜図９（ｂ）は縦断面図である。
【００２５】
図６（ａ），（ｂ）に示すように、異常発生のない通常携帯時にはレバー３０は本体部１０に奥まで差し込んだ状態にされ、且つ、解除部品４０は本体部１０から外された状態にされる。レバー３０が奥まで差し込まれていることで、レバー３０の先端が第１と第２の電極片２０，２１の間に挿入されて両者は絶縁された状態にされる。これにより、電池１９から回路基板１７の各回路へは電流供給がなされず、警報動作を行う各回路は停止状態とされる。また、係止部材２３はバネ２５により付勢されてレバー３０の一面に当接した状態にされる。
【００２６】
図７（ａ），（ｂ）に示すように、異常発生があった場合には使用者により本体部１０からレバー３０が引き抜かれる。レバー３０が引き抜かれると、第２電極片２１の弾性力によって第２電極片２１が第１電極片２０に接触して両者間を導通させる。これにより電池１９からブザーユニット１８等に電流が供給されて、ブザー音の出力等の警報動作が実行される。また、係止部材２３がバネ２５の作用により、横孔１５から挿入溝１３の内側まで張り出した状態にされる。この係止部材２３の張り出しにより、このままの状態ではレバー３０を再び挿入溝１３の奥まで挿入することが不可能にされる。
【００２７】
ここで、異常発生が勘違いと分かったり異常が去ったような場合には、使用者は次のようにしてレバー３０を本体部１０に戻して警報動作を停止することができる。すなわち、先ず、図８（ａ），（ｂ）に示すように、解除部品４０を本体部１０の接続溝１４に接続する。すると、係止部材２３内の永久磁石２４と解除部品４０の永久磁石４３とが引き合って、挿入溝１３に張り出していた係止部材２３を横孔１５の内部まで引っ込める。これにより、レバー３０の挿入を妨げていたロックが解除される。続いて、図９（ａ），（ｂ）に示すように、レバー３０を挿入溝１３の奥まで挿入する。これにより、第１電極片２０と第２電極片２１との間にレバー３０の先端部が入り込んで両者を絶縁させ、警報動作が停止される。また、この状態で解除部品４０を取り外せば通常携帯時の状態にすることができる。
【００２８】
以上のように、この実施形態の防犯ブザー１によれば、レバー３０を引き抜いて警報動作させた後、係止部材２３が挿入溝１３に張り出して、レバー３０を挿入溝１３に挿入できないようにするので、例えば、警報動作時に使用者以外の者にレバー３０を元に戻されて警報が停止されてしまうといった不都合を回避することができる。一方、解除部品４０を使用することで係止部材２３によるロック状態を解除できるので、使用者が警報動作を停止させたいときには、レバー３０を元の状態に戻して警報を停止できるという効果がある。
【００２９】
さらに、レバー３０を元の状態に戻すには、本体部１０やレバー３０とは別体に設けられた解除部品４０を必要とするので、警報動作時に使用者以外の者にレバー３０の挿入方法が容易に悟られてしまうといったことがなく、防犯効果をより高めることが出来る。
【００３０】
また、係止部材２３によるロックを解除する機構が、磁石の作用により係止部材２３を解除部品４０側に引き付ける構成なので、接続溝１４に棒を突っ込んだりしてロックが解除されてしまうと云った不都合がない。
【００３１】
上記のような構成および作用は、電池の消耗を少なくするために、通常時は電池からの通電を行わず、レバー３０が引き抜かれた場合など異常時のみ電池からの通電を行って警報動作を行わせる構成の防犯ブザーに適用して特に有用なものである。
【００３２】
［第２実施形態］
図１０は、本発明の第２実施形態の警報装置を示すもので、（ａ）はレバーが挿入された状態の斜視図、（ｂ）はレバーが引き抜かれた状態の斜視図である。図１１は、第２実施形態の解除部品を示すもので、（ａ）はその斜視図、（ｂ）は平面図、（ｃ）は横断面図である。図１２は、第２実施形態における本体部に解除部品を装着した状態を示す斜視図である。図１３は、本体部の内部構造を示すもので、（ａ）は裏蓋を外した状態の背面図、（ｂ）はその中央縦断面図、（ｃ）は（ａ）の矢印Ｂ−Ｂ線断面図である。
【００３３】
第２実施形態の警報装置１Ｂは、レバー３０が元に戻されるのを防止する係止部材を複数設け、それに対応させて解除部品４０Ｂにも凸部を複数設けたものである。その他の構成は第１実施形態とほぼ同様である。
【００３４】
すなわち、本体部１０Ｂの前面側には、図１０に示すように３個の接続溝１４ａ〜１４ｃが横に並んで設けられ、解除部品４０Ｂにも１個のフランジ部４１上に３個の凸部４２Ａ〜４２Ｃが並んで設けられている。そして、図１２に示すように、解除部品４０Ｂの３個の凸部４２Ａ〜４２Ｃを本体部１０Ｂの３個の接続溝１４ａ〜１４ｃに嵌合させて、解除部品４０Ｂを本体部１０Ｂに接続することが可能になっている。
【００３５】
また、図１３に示すように、本体部１０Ｂのケーシング１６の内部には、挿入溝１３の内面に３個の横孔１５Ａ〜１５Ｃが設けられ、これら３個の横孔１５Ａ〜１５Ｃに３個の係止部材２３Ａ〜２３Ｃがそれぞれ設けられている。横孔１５Ａ〜１５Ｃおよび係止部材２３Ａ〜２３Ｃは、レバー３０の挿入方向に対して横向きに中央とその両側に並んだ配置にされている。各係止部材２３Ａ〜２３Ｃの固定方法は第１実施形態のものと同様である。
【００３６】
係止部材２３Ａ〜２３Ｃの中央に固着されている永久磁石２４Ａ〜２４Ｃと、解除部品４０Ｂの凸部４２Ａ〜４２Ｃの中央に固着されている永久磁石４３Ａ〜４３Ｃとは、解除部品４０Ｂを本体部１０Ｂに接続した際に、互いに引き付け合う向きに磁化されている。また、この実施形態では、中央側の永久磁石２４Ｂ，４３Ｂと、その両側の永久磁石２４Ａ，２４Ｃ，４３Ａ，４３Ｃとで、それぞれ磁化の向きを逆にしている。
【００３７】
以上のように、第２実施形態の防犯ブザーによれば、複数の係止部材２３Ａ〜２３Ｃを備えていることで、挿入溝１３へのレバー３０の挿入を強固にロックして、警報動作中に使用者以外の者に警報を止められてしまうということが確実に防止されるようになっている。
【００３８】
なお、本発明は、上記実施の形態に限られるものではなく、様々な変更が可能である。例えば、上記実施形態では、メカ的な構成によって係止部材２３によるロックを作用させたり解除したりする構成を例示したが、例えば、電気的な駆動装置とその制御によってレバーの挿入を防止するようにしたり、解除部品の接続を検知して電気的な制御によりロックの解除を行うような構成を採用しても良い。
【００３９】
また、上記実施形態では、レバーの挿入を可能とする解除部品を１個の部品としているが、例えば第２実施形態のような構成において、解除部品４０Ｂを１個または２個の凸部４２Ａ〜４２Ｃごとに分離させるなど、複数個の部品として構成しても良い。
【００４０】
また、係止部材を複数設ける場合には、第２実施形態のようにレバーの挿入方向に対して横に並べて設けるほか、縦に並べて設けるようにしても良い。また、永久磁石２４Ａ〜２４Ｃ、４３Ａ〜４３Ｃの極性の並び方も中央対称にせず、非対称な並び方として、解除部品４０を所定の向きに接続しないと、係止部材２３Ａ〜２３Ｃのロックを解除できないように構成しても良い。
【００４１】
また、警報動作はブザー音の出力のみに限られず、警報信号を無線送信する構成などを付加しても良い。その他、レバーの形状や解除部品の形状など、実施の形態で示した細部構造等は、発明の趣旨を逸脱しない範囲で適宜変更可能である。
【図面の簡単な説明】
【００４２】
【図１】本発明の第１実施形態の防犯ブザーを示す斜視図で、（ａ）はレバーが挿入された状態のもの、（ｂ）はレバーが引き抜かれた状態のものである。
【図２】第１実施形態の解除部品を示すもので、（ａ）はその斜視図、（ｂ）は平面図、（ｃ）は横断面図である。
【図３】本体部に解除部品を装着した状態を示す斜視図である。
【図４】本体部の裏蓋を外した分離斜視図である。
【図５】本体部の内部構造を示すもので、（ａ）は裏蓋を外した状態の背面図、（ｂ）はその中央縦断面図、（ｃ）は（ａ）の矢印Ｂ−Ｂ線断面図である。
【図６】レバーが挿入された防犯ブザーの通常状態を示す、（ａ）正面図と、（ｂ）縦断面図である。
【図７】レバーが引き抜かれた防犯ブザーの警報動作時の状態を示す、（ａ）正面図と、（ｂ）縦断面図である。
【図８】解除部品を接続してレバーを戻せるようにした状態を示す、（ａ）正面図と、（ｂ）縦断面図である。
【図９】レバーを戻して警報動作を解除した状態を示す、（ａ）正面図と、（ｂ）縦断面図である。
【図１０】本発明の第２実施形態の防犯ブザーを示す斜視図で、（ａ）はレバーが挿入された状態のもの、（ｂ）はレバーが引き抜かれた状態のものである。
【図１１】第２実施形態の解除部品を示すもので、（ａ）はその斜視図、（ｂ）は平面図、（ｃ）は横断面図である。
【図１２】第２実施形態における本体部に解除部品を装着した状態を示す斜視図である。
【図１３】第２実施形態の本体部の内部構造を示すもので、（ａ）は裏蓋を外した状態の背面図、（ｂ）は中央の断面をとった縦断面図、（ｃ）は（ａ）の矢印Ｂ−Ｂ線断面図である。
【符号の説明】
【００４３】
１      防犯ブザー（警報装置）
１０，１０Ｂ    本体部
１３    挿入溝
１４，１４ａ〜１４ｃ    接続溝
１５    横孔
１８    ブザーユニット
１９    電池
２０    第１電極片
２１    第２電極片
２３，２３Ａ〜２３Ｃ    係止部材（ロック機構）
２４，２４Ａ〜２４Ｃ    永久磁石
２５，２５Ａ〜２５Ｃ    バネ（ロック機構）
３０    レバー
４０，４０Ｂ    解除部品
４１，４１Ｂ    フランジ部
４２，４２Ａ〜４２Ｃ    凸部
４３，４３Ａ〜４３Ｃ    永久磁石
【図１】
2009145938.tif 000003
【図２】
2009145938.tif 000004
【図３】
2009145938.tif 000005
【図４】
2009145938.tif 000006
【図５】
2009145938.tif 000007
【図６】
2009145938.tif 000008
【図７】
2009145938.tif 000009
【図８】
2009145938.tif 000010
【図９】
2009145938.tif 000011
【図１０】
2009145938.tif 000012
【図１１】
2009145938.tif 000013
【図１２】
2009145938.tif 000014
【図１３】
2009145938.tif 000015